(57)【要約】【課題】電子黒板装置に用いられる画像読取り装置に関し、この読取装置を電子黒板装置に位置決めして固定する際、簡易に調節を行えることを目的としている。【解決手段】本発明は、基台と、この基台上に配置される画像取込み用のレンズと、このレンズを保持すると共に光軸方向にレンズの位置を調節可能に前記基台に固定されるレンズ保持部材と、前記レンズに入射された画像を電子データとして撮像する撮像素子と、この撮像素子を保持すると共に前記光軸と垂直方向にレンズの位置を調節可能に前記基台に固定される撮像素子保持部材とを有することを特徴とし、レンズは光軸方向にのみ位置調節を可能とし、撮像素子は、光軸方向は基台に対して固定され、光軸に垂直な方向のみ位置調節が可能としている。また、レンズ保持部材及び、撮像素子保持部材は、基台に対して夫々、バネの伸縮する力を利用して位置調節されるため、調節作業が容易になる。【選択図】図１
2008005453.tif 000002
【特許請求の範囲】
【請求項１】
基台と、この基台上に配置される画像取込み用のレンズと、このレンズを保持すると共に光軸方向にレンズの位置を調節可能に前記基台に固定されるレンズ保持部材と、前記レンズに入射された画像を電子データとして撮像する撮像素子と、この撮像素子を保持すると共に前記光軸と垂直方向にレンズの位置を調節可能に前記基台に固定される撮像素子保持部材とを有することを特徴とする電子黒板用読取装置。
【請求項２】
前記レンズ保持部材と前記基台との間には、前記光軸方向に伸縮するバネが設けられていることを特徴とする請求項１項記載の電子黒板用読取装置。
【請求項３】
前記撮像素子保持部材と前記基台との間には、前記光軸と垂直方向に伸縮する複数のバネが設けられていることを特徴とする請求項１項記載の電子黒板用読取装置。
【請求項４】
前記レンズ保持部材は、前記光軸と垂直方向に設けられ前記レンズを保持する第１のプレートと、前記光軸方向に設けられ、前記基台に、固定位置を調節可能に保持するための複数のねじ穴を有する第２のプレートによって略エル字状に構成されていることを特徴とする請求項１項記載の電子黒板用読取装置。
【発明の詳細な説明】
【技術分野】
【技術分野】
【０００１】本発明は、電子黒板に関し、特に書込みシートに書き込まれた画像を読み取るための読取装置を電子黒板本体に取付ける際の調節が容易に行える電子黒板用読取装置に関する。
【背景技術】
【０００２】電子黒板は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】特開２００１−３０９１２０号には、ファクシミリなどに用いられる光学読取装置の一例が示されている。
この光学読取装置は、平板基材にレンズケーシングとＣＣＤケーシングを取付けるためのねじ穴を有し、それぞれのケーシングを基板面に対し水平に調節して配置固定することができるものである。【０００４】
【特許文献１】特開２００１−３０９１２０号
【発明の開示】
【発明が解決しようとする課題】
【０００５】上記特許文献１では、レンズケーシングとＣＣＤケーシングのそれぞれのケーシングを基板面に対し、夫々水平に２次元的に移動して調節し、配置固定することができるため、高精度に位置調節が可能であるが、調節が面倒である。
【課題を解決するための手段】
【０００６】上記課題を解決するため、本発明は請求項１に記載するように、基台と、この基台上に配置される画像取込み用のレンズと、このレンズを保持すると共に光軸方向にレンズの位置を調節可能に前記基台に固定されるレンズ保持部材と、前記レンズに入射された画像を電子データとして撮像する撮像素子と、この撮像素子を保持すると共に前記光軸と垂直方向にレンズの位置を調節可能に前記基台に固定される撮像素子保持部材とを有することを特徴としている。【０００７】また、請求項２、３及び４に記載するように、前記レンズ保持部材と前記基台との間には、前記光軸方向に伸縮するバネが設けられていることを特徴としている。
また、前記撮像素子保持部材と前記基台との間には、前記光軸と垂直方向に伸縮する複数のバネが設けられていることを特徴としている。
また、前記レンズ保持部材は、前記光軸と垂直方向に設けられ前記レンズを保持する第１のプレートと、前記光軸方向に設けられ、前記基台に、固定位置を調節可能に保持するための複数のねじ穴を有する第２のプレートによって略エル字状に構成されていることを特徴としている。
【発明の効果】
【０００８】本発明の電子黒板によれば、レンズは光軸方向にのみ位置調節を可能とし、撮像素子は、光軸方向は基台に対して固定され、光軸に垂直な方向のみ位置調節が可能としている。
また、レンズ保持部材及び、撮像素子保持部材は、基台に対して夫々、バネの伸縮する力を利用して位置調節されるため、調節作業が容易になる。
このため、電子黒板装置における画像読込のための位置調節を簡易に行うことが可能になる。
【発明を実施するための最良の形態】
【０００９】以下、本発明を実施するための最良の形態について、図面を参照して詳細に説明する。
【実施例】
【００１０】図２に、本発明の１実施例の装置が用いられる、電子黒板装置の本体裏面の構成を示す概念図を示す。
１は電子黒板本体フレーム、２は本体の図示しない表面において、書き込みを行う書込みシートであり、３は書込みシートに書き込まれた文字や絵を本体１の裏面で読み込めるように、書込みシート３の表面を照明するための光源部、４は書込みシート２の記載内容を読み込むレンズと撮像素子で構成された読取装置（イメージスキャナ）である。
尚、書込みシート２は、画像読込み時に、図示しないモータによって、移送される。
その移送動作に連動して、光源部３付近で書込みシートは、この光源部３によって照明され、読取装置４で画像が取込まれる。
本実施例では、撮像素子として、ＣＣＤが用いられている。
また、光源部３では、複数の半導体発光素子（ＬＥＤ）が用いられている。【００１１】図３は、読込み動作を説明するための図であり、電子黒板本体の上方から読取装置４付近を見た概念図である。
読取装置４は、レンズ８、撮像素子１２から構成され、光源部３は、ＬＥＤ光源５、ミラー６で構成されている。
ＬＥＤ光源５は、図１で示す光源部３に垂直方向にライン状に配列された複数の半導体発光素子で構成され、垂直方向を長辺とした四角形状に、前記書込みシート２を照明し、その照明された部分は、ミラー６の反射画像として、レンズ８を介して読取装置４で読み込まれる。【００１２】図２で示した電子黒板装置の図示しない表面において、書込みシート２の書き込み面に、例えば会議の議題や会議内容をマーカーにて書き込み、図示しない操作手段にてプリントボタンを押すと、図示しない制御装置によりモータが駆動され、書き込まれた面は、本体の裏側に移送され、先に説明した、画像読込み動作が行われる。
読み込まれた画像は、図示しないプリンタによってプリントアウトされる。
また、読込み画像は、デジタル画像情報として、記憶媒体に記録される。【００１３】図１に、本実施例の読込み装置４の斜視図を示す。
７は基台、８は書込みシート上に書き込まれた画像を取込むレンズ、９はレンズ保持部材、１０はレンズ保持部材９を基台７に固定するための固定ねじである。
１１はレンズ保持部材９を伸縮して保持するバネ、１２はレンズ８を介して入射される画像を撮像する撮像素子、１３は撮像素子保持部材、１４は基台表面に対して、撮像素子１２の高さ及び傾きを調節する高さ調節ネジ、１５は撮像素子保持部材１３を伸縮して保持するバネ、１６は撮像素子保持部材１３を基台７に固定する固定ネジである。【００１４】基台７には、レンズ保持部材９を固定するための第１の張り出し部Ｘを有しているが、その壁面には、図示しないが、取り込み画像を撮像素子１２に導くため開口が形成されている。
また、基台７の端部には、撮像素子保持部材１３を固定するための第２の張り出し部Ｙを有している。【００１５】レンズ保持部材９は、略Ｌ字形状のプレート構造を成しているが、その１方のプレートには、レンズが取付けられ、他方のプレートには、前記レンズ８の光軸方向に長い開口を有するネジ穴が２つ設けられている。
レンズ保持部材９は、このネジ穴を通して、基台７の第１の張り出し部Ｘの端部に固定ネジ１０で固定される。
このとき、レンズ保持部材９の光軸方向に長い開口によって、矢印Ａで示される光軸方向に位置調節され、図示しない所定の画像読込検査装置によって、レンズの位置が適正な位置に配置されたとみなされたら、レンズ保持部材９は、固定ネジ１０によって基台７の第１の張り出し部に固定される。【００１６】撮像素子保持部材１３は、高さ調節ネジ１４によって矢印Ｂ、及びＣ方向に位置調節され、図示しない所定の画像読込検査装置によって、撮像素子の位置が適正な位置に配置されたとみなされたら、撮像素子保持部材１３は、固定ねじ１６によって基台７の第２の張り出し部Ｙに固定される。【００１７】本発明は、上述の１実施例に限定されるものではなく、基台の構造、レンズ保持部材や撮像素子保持部材の構造は変更可能である。
例えば、バネ１１は、レンズ８の鏡筒を内部に囲い込むよう、基台７とレンズ保持部材９との間に配置してもよい。
【産業上の利用可能性】
【００１８】本発明は、会議やプレゼンテーションなどに用いられる電子黒板装置の読取り装置として利用することができる。
【図面の簡単な説明】
【００１９】
【図１】本発明の実施例の形態に係る主要な構成を示す概念図である。
【図２】本発明の読取装置が用いられる電子黒板の裏面図である。
【図３】本発明の読取装置が用いられる電子黒板の読取装置動作を示すための上面図である。
【符号の説明】
【００２０】４：読取装置
７：基台
８：レンズ
９：レンズ保持部材
１２：撮像素子
１３：撮像素子保持部材
【図１】
2008005453.tif 000003
【図２】
2008005453.tif 000004
【図３】
2008005453.tif 000005